Podtech/llm-jp-corpus-v4-ja_patent huggingface dataset:
【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】  NSAID関連塩酸分泌過多およびNSAID関連の血管収縮による腎損傷の防止作用を有する、炎症病態の処置用NSAIDの製造のための化合物2-メトキシフェニル-1-メチル-5P-メチルベンゾイル-ピロール-2-アセトアミドアセテートの使用。
【請求項２】  NSAID関連塩酸分泌過多およびNSAID関連の血管収縮による腎損傷の防止作用を有する、炎症病態の処置用NSAIDの製造のための化合物2-メトキシフェニル-1-メチル-5P-メチルベンゾイル-ピロール-2-アセトアミドアセテートの使用において、その胃および腎保護作用を示すためにその化合物を同時にＨ1-受容体阻害薬を用いないで空の胃に投与する使用。
【請求項３】  NSAID関連塩酸分泌過多およびNSAID関連の血管収縮による腎損傷の防止作用を有する、炎症病態の処置用NSAIDの製造のための化合物2-メトキシフェニル-1-メチル-5P-メチルベンゾイル-ピロール-2-アセトアミドアセテートの使用において、2-メトキシフェニル-1-メチル-5P-メチルベンゾイル-ピロール-2-アセトアミドアセテートはプロスタグランジン合成を阻害するが、胃保護作用および腎血管拡張作用を有する神経ペプチドの放出を誘導できる薬剤として有効である使用。
【請求項４】  上記神経ペプチドは、CGRP，VIP，GIP，ソマトスタチン，SPによって形成されるクラスから選択され、
−胃粘液の増加、
−胃および十二指腸重炭酸塩の増加、
−粘膜血流の増加、
−酸分泌の低下、
−胃の運動性の低下
を生じる請求の範囲第３項記載の使用。
【請求項５】  関与する主要な神経ペプチドはCGRPである請求の範囲第４項記載の使用。
【請求項６】  NSAID関連塩酸分泌過多の防止作用を有する、炎症病態の処置用NSAIDの製造のための化合物2-メトキシフェニル-1-メチル-5P-メチルベンゾイル-ピロール-2-アセトアミドアセテートの使用において、同一の薬剤が血管収縮によるNSAID関連腎損傷の防止作用も有することを特徴とする使用。
【請求項７】  NSAID関連塩酸分泌過多の防止作用を有する、炎症病態の処置用NSAIDの製造のための化合物2-メトキシフェニル-1-メチル-5P-メチルベンゾイル-ピロール-2-アセトアミドアセテートの使用において、同一の化合物はその胃および腎保護作用を示すために同時にＨ1-受容体阻害薬を用いないで空の胃に投与することを特徴とする請求の範囲第６項記載の使用。
【請求項８】  化合物2-メトキシフェニル-1-メチル-5P-メチルベンゾイル-ピロール-2-アセトアミドアセテートを含む、NSAID関連塩酸分泌過多およびNSAID関連の血管収縮による腎損傷の防止作用を有する、炎症病態の処置用の医薬組成物。
【請求項９】  NSAID関連の腎臓血管収縮に反作用する薬剤の製造のための化合物2-メトキシフェニル-1-メチル-5P-メチルベンゾイル-ピロール-2-アセトアミドアセテートの使用。
【請求項１０】  上記NSAID関連の腎臓血管収縮は、うっ血性心不全、ネフローゼ、慢性糸球体腎炎、慢性腎不全によって形成されるクラスに属する１種または２種以上の疾患に干渉する請求の範囲第９項記載の使用。
【請求項１１】  上記NSAID関連の腎臓血管収縮は、動脈硬化関連心脈管系疾患、痛風性関節炎、慢性腎盂腎炎、全身麻酔に関連する疾患、敗血症、エンドトキシン血症および感染症に関連する疾患、利尿処置を要求される疾患、低塩食療法を必要とする疾患、ならびに糖尿病、高血圧症によって形成されるクラスに属する１種または２種以上の疾患に干渉する請求の範囲第１０項記載の使用。
【請求項１２】  化合物2-メトキシフェニル-1-メチル-5P-メチルベンゾイル-ピロール-2-アセトアミドアセテートは空の胃に、同時にＨ1-受容体阻害薬を用いないで投与される請求の範囲第９項〜第１１項のいずれかに記載の使用。
【請求項１３】  化合物2-メトキシフェニル-1-メチル-5P-メチルベンゾイル-ピロール-2-アセトアミドアセテートを含むNSAID関連の腎臓血管収縮に反作用する医薬組成物。
【請求項１４】  上記NSAID関連の腎臓血管収縮は、うっ血性心不全、ネフローゼ、慢性糸球体腎炎、慢性腎不全によって形成されるクラスに属する１種または２種以上の疾患に干渉する請求の範囲第１３項記載の医薬組成物。
【請求項１５】  上記NSAID関連の腎臓血管収縮は、動脈硬化関連心脈管系疾患、痛風性関節炎、慢性腎盂腎炎、全身麻酔に関連する疾患、敗血症、エンドトキシン血症および感染症に関連する疾患、利尿処置を要求される疾患、低塩食療法を必要とする疾患、ならびに糖尿病、高血圧症によって形成されるクラスに属する１種または２種以上の疾患に干渉する請求の範囲第１３項記載の医薬組成物。
【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
合成クロムトリピコリナートとしてのクロム及びビオチンを有効相乗作用量含む医薬組成物であって、クロム対ビオチンの割合が約２：１から１：２００（ｗ／ｗ）の間であり、クロムトリピコリナートの量及びビオチンの量が一緒に相加効果よりも高い効果を提供するように選択される、医薬組成物。
【請求項２】
合成クロムトリピコリナートとしてのクロム及びビオチンの有効相乗作用量のみを含む医薬組成物であって、クロム対ビオチンの割合が約２：１から１：２００（ｗ／ｗ）の間であり、クロムトリピコリナートの量及びビオチンの量が一緒に相加効果よりも高い効果を提供するように選択される、医薬組成物。
【請求項３】
合成クロムトリピコリナートとしてのクロムの量が一日あたり約５０から１０００μｇのクロムを提供する量であり、ビオチンの量が一日あたり約２５μｇから２００ｍｇの間のビオチンを提供する量である、請求項１又は２に記載の医薬組成物。
【請求項４】
合成クロムトリピコリナートとしてのクロムの量が、一日あたり約５００から１，０００μｇの間のクロムを提供する量である、請求項３に記載の医薬組成物。
【請求項５】
ビオチンの量が一日あたり１ｍｇから１００ｍｇの間のビオチンを提供する量である、請求項３又は４に記載の医薬組成物。
【請求項６】
上記クロムトリピコリナートが調剤上許容されるキャリアー中に含まれる、請求項１−５のいずれかに記載の医薬組成物。
【請求項７】
上記ビオチンが調剤上許容されるキャリアー中に含まれる、請求項１〜６のいずれかに記載の医薬組成物。
【請求項８】
経口投与用である、請求項１〜７のいずれかに記載の医薬組成物。
【請求項９】
非経口投与用である、請求項１〜８のいずれかに記載の医薬組成物。
【請求項１０】
高血糖を低下させるための、請求項１〜９に記載の医薬組成物。
【請求項１１】
血清中のグルコース濃度を安定化するための、請求項１〜１０のいずれかに記載の医薬組成物。
【請求項１２】
高血糖を低下させるための薬物の製造における、合成クロムトリピコリナートとしてのクロム及びビオチンの有効相乗作用量の使用。
【請求項１３】
血清中のグルコース濃度を安定化するための薬物の製造における、合成クロムトリピコリナートとしてのクロム及びビオチンの有効相乗作用量の使用。
【請求項１４】
上記クロムの有効相乗作用量が一日あたり約５０から１０００(ｇの間の量である、請求項１２又は１３に記載の使用。
【請求項１５】
上記ビオチンの有効相乗作用量が一日あたり約２５(ｇから２００ｍｇの間の量である、請求項１２又は１３に記載の使用。
【請求項１６】
上記クロムの有効相乗作用量が一日あたり約５００から１０００(ｇの間の量である、請求項１２又は１３に記載の使用。
【請求項１７】
上記ビオチンの有効相乗作用量が一日あたり約１ｍｇから１００ｍｇの間の量である、請求項１２又は１３に記載の使用。
【請求項１８】
上記クロムトリピコリナートが調剤上許容されるキャリアー中に含まれる、請求項１２又は１３に記載の使用。
【請求項１９】
上記ビオチンが調剤上許容されるキャリアー中に含まれる、請求項１２又は１３に記載の使用。
【請求項２０】
上記クロムトリピコリナートが経口投与用に処方されている、請求項１２又は１３に記載の使用。
【請求項２１】
上記ビオチンが経口投与用に処方されている、請求項１２又は１３に記載の使用。
【請求項２２】
上記クロムトリピコリナートが非経口投与用に処方されている、請求項１２又は１３に記載の使用。
【請求項２３】
上記ビオチンが非経口投与用に処方されている、請求項１２又は１３に記載の使用。
【手続補正書】
【提出日】平成17年2月22日(2005.2.22)
【手続補正１】
【補正対象書類名】明細書
【補正対象項目名】特許請求の範囲
【補正方法】変更
【補正の内容】
【特許請求の範囲】
【請求項１】  心臓血管系の疾病または症状を治療するための医薬組成物であって、式（Ｉ）：
【化１】
2001513503.tif 000001
［式中、Ｒ１は水素、フルオロアルキル、ハロ、ハロアリール、アリールおよびアルコキシからなる群より独立して選択されるか；あるいはＲ１はそれが置換している置換６員アリール環とともにナフタレン基を形成する縮合環を示し；
Ｒ２はＲ１−ベンズアミド、Ｒ１−ベンジルエーテル、Ｒ１−ベンジルアミノ、アミノ、ハロ、ヒドロキシ、アルコキシ、アルキル、フルオロアルキル、シアノ、ニトロ、アリールオキシ、ニトロアルキル、アリールおよび１，２−ベンゾからなる群より選択されるか；あるいはＲ２基はそれが置換している置換６員アリール環とともにナフタレン基を形成する縮合環を示し；
ｎは１ないし４の整数であり；
Ｒ３は水素またはメチルであり；
Ｒ４は水素またはヒドロキシである］で示される構造式を有する有効量の化合物を含む医薬組成物。
【請求項２】  Ｒ１が水素、５−トリフルオロメチル、５−クロロ、５−ブロモ、３−ブロモ、４−ブロモ、５−ブロモ−３−フェニル、５−ヨード、５−ヨード−３−フェニル、２−フェニル、３−フェニル、５−フェニルおよび３−メトキシからなる群より選択され、
Ｒ２が２−クロロ、３，４−ジクロロ、２，３−ジクロロ、３−メトキシ、２−イソプロピル、３−シアノ、４−ブチル、２−ニトロ、２−フェノキシ、２−ニトロ−４−メチル、２−フェニル、４−フェニル、２−ベンズアミジル、１，２−ベンゾからなる群より選択され、
Ｒ３が水素である、
請求項１記載の医薬組成物。
【請求項３】  いずれかのＲ２アリール置換基がヒドロキシ、ハロ、アリール、アルキル、シアノ、ニトロ、Ｒ１−ベンズアミジル、アルコキシおよびアリールオキシからなる群より選択される請求項１記載の医薬組成物。
【請求項４】  Ｒ２が３，４−ジクロロ、２−ベンズアミジル、４−フェニルまたは４−ブチルから選択される請求項２記載の医薬組成物。
【請求項５】  Ｒ１が５−トリフルオロメチルまたは５−ブロモである請求項２記載の医薬組成物。
【請求項６】  化合物が
５−ブロモ−３’，４’−ジクロロサリチルアニリド、
５−ブロモ−２’−アミノ−４’，５’−ジクロロサリチルアニリド、
５−トリフルオロメチル−４’−フェニルサリチルアニリド、
５−ブロモ−３’−ブロモ−６’−ヒドロキシサリチルアニリド、
５−ブロモ−２’−ベンズアミジル−３’，４’−ジクロロサリチルアニリドおよび
５−ブロモ−４’−ブロモサルチルアニリド
からなる群より選択される請求項１記載の医薬組成物。
【請求項７】  疾病または障害がアテローム性動脈硬化症、冠状動脈の疾病、腎臓病、血栓症、凝血による一時的な虚血、器官移植、器官不全、卒中、心筋梗塞、ならびに高コレステロール血症からなる群より選択される請求項１記載の医薬組成物。
【請求項８】  治療すべき疾病または障害がアテローム性動脈硬化症である請求項７記載の医薬組成物。
【請求項９】 有効量の請求項１記載の化合物を含む、マクロファージスカベンジャー受容体に拮抗するための医薬組成物。
【請求項１０】 有効量の請求項１記載の化合物を含む、マクロファージ由来の泡沫細胞中の脂質蓄積を抑制するための医薬組成物。
【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】  道路表層を製作するアスファルトにおいて、フィッシャー−トロプシュ合成によって得られたパラフィンであるＦＴパラフィンを含有することを特徴とするアスファルト。
【請求項２】  前記ＦＴパラフィンの含有が０．５重量％ないし１０重量％までであることを特徴とする請求項１に記載のアスファルト。
【請求項３】 前記ＦＴパラフィンが６８ないし１０５℃の凝固点を示すことを特徴とする請求項１又は２のいずれかに記載のアスファルト。
【請求項４】  前記ＦＴパラフィンが少なくとも部分的に酸化されたＦＴパラフィンから構成されることを特徴とする請求項１又は２に記載のアスファルト。
【請求項５】  下側の砂／砂利層（４）、 その上にある瀝青を含む支持層（３）および上側のアスファルトコンクリート層である最上層（２）から構成される道路表層（１）において、
瀝青を含む支持層（３）の瀝青がフィッシャー−トロプシュ合成によって得られたパラフィンであるＦＴパラフィンを含有していることを特徴とする道路表層。
【請求項６】  前記ＦＴパラフィンの含有が前記瀝青に対して０．５重量％ないし１０重量％であることを特徴とする請求項５に記載の道路表層。
【請求項７】  前記最上層がＦＴパラフィンを含有することを特徴とする請求項５又は６に記載の道路表層。
【請求項８】  結合層を備え、
前記結合層がＦＴパラフィンを含有していることを特徴とする請求項５又は６に記載の道路表層。
【請求項９】  前記最上層のＦＴパラフィンの含有が前記瀝青に対して０．５重量％ないし５重量％であることを特徴とする請求項７又は８に記載の道路表層。
【請求項１０】  前記ＦＴパラフィンが６８ないし１０５℃の凝固点を示すことを特徴とする上記請求項５乃至９のいずれかに記載の道路表層。
【請求項１１】 前記ＦＴパラフィンが少なくとも部分的に酸化されたＦＴパラフィンから構成されることを特徴とする請求項５乃至１０のいずれかに記載の道路表層。
【請求項１２】  道路表層を製作する方法において、道路建設時に瀝青を含む支持層を形成するため瀝青を含むアスファルトにフィッシャー−トロプシュ合成によって得られたパラフィンであるＦＴパラフィンを混合し、このときＦＴパラフィンの含有が前記瀝青の含有量に対して０．５重量％ないし１０重量％で、 好ましくは２．５重量％ないし７．５重量％であることを特徴とする方法。
【請求項１３】  前記道路建設時の最上層の形成において瀝青を含むアスファルトにＦＴパラフィンが前記瀝青に対して０．５重量％ないし５重量％の含有量で混合されることを特徴とする請求項１２に記載の方法。
【請求項１４】  結合層を備え、
前記結合層を形成するため瀝青を含むアスファルトにＦＴパラフィンが前記瀝青に対して０．５重量％ないし５重量％の含有量で混合されることを特徴とする請求項１２又は１３のいずれかに記載の方法。
【請求項１５】  前記ＦＴパラフィンの混合が液状の前記瀝青に対して固体の形状で行なわれることを特徴とする請求項１２乃至１４のいずれかに記載の方法。
【請求項１６】  前記ＦＴパラフィンが顆粒状、粉末、フレークまたは錠剤、 または液体として混合されることを特徴とする上記請求項１２乃至１４のいずれかに記載の方法。
【請求項１７】  前記ＦＴパラフィンが少なくとも部分的に酸化されたＦＴパラフィンから構成されることを特徴とする請求項１２乃至１６のいずれかに記載の方法。
【請求項１８】  道路表層から剥がした古いアスファルト成分と新しいアスファルトの成分から路面を形成する方法で、古いアスファルトは先ず新しいアスファルトより低い温度に加熱され、その後古いアスファルトと新しいアスファルトの成分が混合されるものにおいて、
新しいアスファルトまたは古いアスファルトにＦＴパラフィンが混合されることを特徴とする方法。
【請求項１９】  前記ＦＴパラフィンが新しいアスファルト使用量に対して０．１重量％ないし０．５重量％の含有量で混合されることを特徴とする請求項１８に記載の方法。
【請求項２０】  フィッシャー−トロプシュ合成によって得られたパラフィンであるＦＴパラフィンを０．５〜７．５重量％含有することを特徴とする瀝青。
【請求項２１】  前記ＦＴパラフィンが６８〜１０５℃の凝固点を示すことを特徴とする請求項２０に記載の瀝青。
【請求項２２】  前記ＦＴパラフィンが少なくとも部分的に酸化されたＦＴパラフィンを含むことを特徴とする請求項２０又は２１に記載の瀝青。
【請求項２３】  ＦＴパラフィンが全てのタイプのアスファルト層へ添加されるマスチィクアスファルトの使用方法。
【請求項２４】  ＦＴパラフィンを含有することを特徴とするマスチィクアスファルト層。
【請求項２５】  フィッシャー−トロプシュ合成によって得られたパラフィンであるＦＴパラフィンを瀝青に対して０．５〜７．５重量％混合することを特徴とするＦＴパラフィンの使用方法。
【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】  内側のギヤおよび外側のギヤと；
内側のギヤは複数の外歯を有し、複数の外歯は接触面と相対した面とを有し、内側のギヤはピッチ円を有し、接触面は内側のギヤのサイクロイド状の軌跡に設けられた変曲部の点を有し；
外側のギヤは、内側のギヤの外歯と係合する複数の内歯を有し、内歯は、内側のギヤの外歯の接触面を係合するための接触面を有していて、外側のギヤは、ピッチ円を有していて；および
内側のギヤと外側のギヤとが、一方のギヤから他方のギヤへパワーの伝達のために組み立てられた場合、内側のギヤと外側のギヤは、実質的に径方向の係合と点接触とを受け、外歯の変曲部の点は、実質的に外側のギヤのピッチ円がこの外側のギヤの接触面と交差する、内側のギヤの接触面上の点でのみ、係合およびロック運動することを特徴とする軌道ギヤシステム。
【請求項２】  接触面は、正弦曲線的輪郭を有していることを特徴とする請求項１記載の軌道ギヤシステム。
【請求項３】  正弦曲線的輪郭は、次の方程式、
ｙ＝ｆ（Ｄ）Ｓｉｎ｛πＷＤθｇ（ε）｝
によって規定され、
ここで、Ｄは、ピッチ円の直径、
Ｗは、歯の幅、
εは、偏心度、
θは、角度置換、
であり、抑制内において、内側のギヤのＤが外側のギヤのＤの２／３より大きいことを特徴とする請求項２記載の軌道ギヤシステム。
【請求項４】  内側のギヤの外歯は、ほぼ平坦な最外面を有するように先端を切られていて、接触面の正弦曲線的な部分は、ギヤのピッチ円の径方向内方の点から先端が切られた面に延びていることを特徴とする請求項２記載の軌道ギヤシステム。
【請求項５】  外歯の相対した面は、相対した面の長さの少なくとも一部分に沿った正弦曲線的輪郭を備えていて、相対した面の正弦曲線的輪郭は、ギヤのピッチ円に設けられた変曲部の点を有しているので、ギヤは、一方の方向へ外側のギヤの内歯と接触する接触面と、反対の方向へ回転するために効果的に接触面となる相対した面とともに前方と後方向の両方へ操作できることを特徴とする請求項２記載の軌道ギヤシステム。
【請求項６】  外歯の接触面と相対したと面は、互いに鏡面対称であることを特徴とする請求項１記載のギヤ。
【請求項７】  内歯の接触面は、径方向に外側の点から外側のギヤのピッチ円が接触面と交差する点に延びている傾斜した平坦面であることを特徴とする請求項１記載の軌道ギヤシステム。
【請求項８】  外側のギヤの半径に関する平坦面の角度は、正弦曲線的輪郭の変曲部の点で外歯の正弦曲線的輪郭を形成する正弦曲線の導関数によって決定されることを特徴とする請求項２記載の軌道ギヤシステム。
【請求項９】  内歯の接触面は、接触面の交差する点と外側のギヤのピッチ円から内歯の径方向の最も内側の点へ径方向内方へ延びていることを特徴とする請求項１記載の軌道ギヤシステム。
【請求項１０】  内歯は、接触面がギヤシステムの反対の動きになる相対した面と鏡面対称の相対したと面を有していることを特徴とする請求項１記載の軌道ギヤシステム。
【請求項１１】  接触部材を有する第１の本体部と；
第１の本体部の接触部材を係合するための第２の本体部とを有し、回転運動を第１の本体部から第２の本体部に移動し；
第１の本体部と第２の本体部の一方が、第１の本体部と第２の本体部の他方に関する軌道運動のために設けられていて；および
第１の本体部と第２の本体部の部材は互いに接触し、回転運動が伝達された場合、互いにカップ形状のサイクロイド運動を実行し、実質的に他方の部材の面の一点上のロック運動によって径方向に係合する；
ことを特徴とする回転伝達装置。
【請求項１２】  正弦曲線的輪郭は、次の方程式、
ｙ＝ｆ（Ｄ）Ｓｉｎ｛πＷＤθｇ（ε）｝
によって規定され、
ここで、Ｄは、ピッチ円の直径、
Ｗは、歯の幅、
εは、偏心度、
θは、角度置換、
であり、抑制内において、内側のギヤのＤが外側のギヤのＤの２／３より大きいことを特徴とする請求項１１記載の回転伝達装置。
【請求項１３】  内側のギヤと外側のギヤとは、ピッチ円の直径（ＰＣＤ）比が約９３％であることを特徴とする請求項１に記載の軌道ギヤシステム。
【請求項１４】  第１の本体部と第２の本体部とは、ギヤであり、ピッチ円の直径（ＰＣＤ）比が約９３％であることを特徴とする請求項１１に記載の軌道ギヤシステム。
【手続補正２】
【補正対象書類名】明細書
【補正対象項目名】０００８
【補正方法】変更
【補正の内容】
【０００８】
本発明の第１の態様は、
内側のギヤおよび外側のギヤと；
内側のギヤは複数の外歯を有し、複数の外歯は接触面と相対した面とを有し、内側のギヤはピッチ円を有し、接触面は内側のギヤのサイクロイド状の軌跡に設けられた変曲部の点を有し；
外側のギヤは、内側のギヤの外歯と係合する複数の内歯を有し、内歯は、内側のギヤの外歯の接触面を係合するための接触面を有していて、外側のギヤは、ピッチ円を有していて；および
内側のギヤと外側のギヤとが、一方のギヤから他方のギヤへパワーの伝達のために組み立てられた場合、内側のギヤと外側のギヤは、実質的に径方向の係合と点接触とを受け、外歯の変曲部の点は、実質的に外側のギヤのピッチ円がこの外側のギヤの接触面と交差する、内側のギヤの接触面上の点でのみ、係合およびロック運動する軌道ギヤシステムを提供することである。
【手続補正３】
【補正対象書類名】明細書
【補正対象項目名】０００９
【補正方法】変更
【補正の内容】
【０００９】
本発明の第１の態様は、また、軌道ギヤシステムを有する軌道ギヤ伝達装置を提供することである。
本発明の第１の態様は、また、
接触部材を有する第１の本体部と；
第１の本体部の接触部材を係合するための第２の本体部とを有し、回転運動を第１の本体部から第２の本体部に移動し；
第１の本体部と第２の本体部の一方が、第１の本体部と第２の本体部の他方に関する軌道運動のために設けられていて；および
第１の本体部と第２の本体部の部材は互いに接触し、回転運動が伝達された場合、互いにカップ形状の（ｃｕｐｓｏｉｄ）サイクロイド運動を実行し、実質的に他方の部材の面の一点上のロック運動によって径方向に係合する；
回転伝達装置を提供することである。
【手続補正書】
【提出日】平成15年12月25日(2003.12.25)
【手続補正１】
【補正対象書類名】明細書
【補正対象項目名】特許請求の範囲
【補正方法】変更
【補正の内容】
【特許請求の範囲】
【請求項１】
水溶性の低い活性剤の経口デリバリーのためのカプセルシステムであって、
水溶性の低いレチノイド活性剤；
活性剤を最初に溶解するための賦形剤手段；
胃腸管内における活性剤および賦形剤手段の自己乳化を促進するための乳化剤手段；および
活性剤、賦形剤手段および乳化剤手段を未乳化均質混合物として封入するためのカプセルシェル手段であって、摂取後に胃腸管に対し開放して該混合物を放出し、活性剤を溶解している賦形剤手段の、胃腸管内における自己乳化を可能にするように調製したカプセルシェル手段
を含有するカプセルシステム。
【請求項２】
賦形剤手段は、レチノイド活性剤を充分溶解する中程度の鎖長の液体トリグリセリドを含有する請求項１に記載のカプセルシステム。
【請求項３】
中程度の鎖長の液体トリグリセリドは、カプリル／カプリントリグリセリドを含有する請求項２に記載のカプセルシステム。
【請求項４】
賦形剤手段は、エチルオレエート、イソプロピルミリステート、セテアリルオクタノエート、トウモロコシ油、綿実油、ベニバナ油、オリーブ油、ピーナツ油、大豆油およびゴマ油から成る群から選択する請求項２に記載のカプセルシステム。
【請求項５】
乳化剤手段は共同乳化剤を含有する請求項３に記載のカプセルシステム。
【請求項６】
共同乳化剤は、ソルビタンモノオレエートおよびポリソルベート８０を含有する請求項５に記載のカプセルシステム。
【請求項７】
共同乳化剤は、ソルビタンモノオレエート、ソルビタンモノラウレート、ソルビタンモノパルミテート、ソルビタンモノステアレート、ポリソルベート２０、ポリソルベート４０、ポリソルベート６０およびポリソルベート８０から成る群から選択する請求項５に記載のカプセルシステム。
【請求項８】
共同乳化剤は、カプリル／カプリントリグリセリドの親水性／親油性バランスに適合するよう選択する請求項７に記載のカプセルシステム。
【請求項９】
レチノイド活性剤はタザロテンである請求項１に記載のカプセルシステム。
【請求項１０】
賦形剤手段中に抗酸化剤をも含有する請求項９に記載のカプセルシステム。
【請求項１１】
カプセルシェル手段は不透明色素をも含有する請求項１０に記載のカプセルシステム。
【請求項１２】
タザロテンは１カプセル当たり約３４ｍｇまでの量で存在し、抗酸化剤は約０．０５％ｗ／ｗの量のブチル化ヒドロキシアニソールから成り、ソルビタンモノオレエートは約５．０％ｗ／ｗの量で存在し、ポリソルベート８０は約０．２５％ｗ／ｗの量で存在し、カプリル／カプリントリグリセリドは約９４％ｗ／ｗの量で存在する請求項１１に記載のカプセルシステム。
【請求項１３】
水溶性の低い活性剤の経口デリバリーのためのカプセルシステムであって、
水溶性の低いレチノイド活性剤；
活性剤を充分溶解する液体トリグリセリド；
胃腸管内における液体トリグリセリドおよび溶解した活性剤の自己乳化を促進するための乳化剤手段；および
液体トリグリセリドと溶解した活性剤および乳化剤手段を未乳化均質混合物として封入するためのカプセルシェル手段であって、摂取後に胃腸管に対し開放して該混合物を放出し、液体トリグリセリドおよび溶解した活性剤の、胃腸管内における自己乳化を可能にするように調製したカプセルシェル手段
を含有するカプセルシステム。
【請求項１４】
液体トリグリセリドは、カプリル／カプリントリグリセリドを含有する請求項１３に記載のカプセルシステム。
【請求項１５】
乳化剤手段は共同乳化剤を含有する請求項１４に記載のカプセルシステム。
【請求項１６】
共同乳化剤は、ソルビタンモノオレエートおよびポリソルベート８０を含有する請求項１５に記載のカプセルシステム。
【請求項１７】
共同乳化剤は、カプリル／カプリントリグリセリドの親水性／親油性バランスに適合するよう選択する請求項１５に記載のカプセルシステム。
【請求項１８】
請求項１３に記載の活性剤、液体トリグリセリドおよび乳化剤手段を含有する組成物。
【請求項１９】
レチノイド活性剤はタザロテンである請求項１３に記載のカプセルシステム。
【請求項２０】
賦形剤手段中に抗酸化剤をも含有する請求項１９に記載のカプセルシステム。
【請求項２１】
カプセルシェル手段は不透明色素をも含有する請求項２０に記載のカプセルシステム。
【請求項２２】
タザロテンは１カプセル当たり約０．１〜３４ｍｇの量で存在し、抗酸化剤は約０．０５％ｗ／ｗの量のブチル化ヒドロキシアニソールから成り、ソルビタンモノオレエートは約５．０％ｗ／ｗカプセルの量で存在し、ポリソルベート８０は約０．２５％ｗ／ｗの量で存在し、カプリル／カプリントリグリセリドは約９４％ｗ／ｗの量で存在する請求項２１に記載のカプセルシステム。
【請求項２３】
請求項２２に記載のタザロテン、ブチル化ヒドロキシアニソール、ソルビタンモノオレエート、ポリソルベート８０、およびカプリル／カプリントリグリセリドを含有する組成物。
【請求項２４】
水溶性の低い活性剤のデリバリーを可能にする方法であって、
水溶性の低いレチノイド活性剤を提供し；
胃腸管内における初めての活性剤の溶解を排除するために、活性剤を賦形剤に溶解し；
胃腸管内における活性剤および賦形剤の自己乳化を促進するために、乳化剤を賦形剤に組み合わせ；および
摂取後に胃腸管に対し開放するよう調製したカプセルシェルに、活性剤、賦形剤および乳化剤を封入する
過程を含んで成る方法。
【請求項２５】
レチノイド活性剤を提供する過程は、タザロテンの提供を含んで成る請求項２４に記載の方法。
【請求項２６】
賦形剤中に抗酸化剤を組み合わせる過程を更に含んで成る請求項２５に記載の方法。
【請求項２７】
カプセルシェルに不透明色素を組み合わせる過程を更に含んで成る請求項２６に記載の方法。
【手続補正書】
【提出日】平成17年1月18日(2005.1.18)
【手続補正１】
【補正対象書類名】明細書
【補正対象項目名】特許請求の範囲
【補正方法】変更
【補正の内容】
【特許請求の範囲】
【請求項１】  宿主哺乳動物に対して異種である特定の細胞型を代表する抗原に結合するモノクローナル抗体の集団を生成するために宿主哺乳動物を免疫する方法であって、該哺乳動物に、当該細胞型の複数の生存可能でかつインタクトな細胞を導入する工程を包含し、ここで該細胞の表面は血清を含まず、そして該細胞が、アジュバントを用いないか、またはRibiアジュバントを用いて該哺乳動物に導入される、方法。
【請求項２】  前記細胞が無血清培地中で培養される、請求項１に記載の哺乳動物を免疫する方法。
【請求項３】  前記細胞が単層の形態で増殖される、請求項１に記載の哺乳動物を免疫する方法。
【請求項４】  前記細胞が凝集体の形態で増殖される、請求項１に記載の哺乳動物を免疫する方法。
【請求項５】  前記細胞が生物学的基材または非生物学的基材で増殖される、請求項１に記載の哺乳動物を免疫する方法。
【請求項６】  前記生物学的基材が、コラーゲン、フィブロネクチン、ラミニンおよびポリリジンからなる群より選択される、請求項５に記載の哺乳動物を免疫する方法。
【請求項７】  前記非生物学的基材が、ニトロセルロース、ナイロンおよびポリテトラフロオロエチレンメンブレンからなる群より選択される、請求項５に記載の哺乳動物を免疫する方法。
【請求項８】  前記細胞が、胚または成体起源の細胞である、請求項１に記載の哺乳動物を免疫化する方法。
【請求項９】  前記細胞が、外胚葉、内胚葉、または中胚葉起源の細胞である、請求項１に記載の哺乳動物を免疫する方法。
【請求項１０】  前記細胞が、ASC細胞、ESC細胞、ROG細胞、BUD細胞、RED細胞、NODD細胞、BR516細胞、RL-65細胞、およびNEP細胞からなる群より選択される、請求項１に記載の哺乳動物を免疫する方法。
【請求項１１】  特定の細胞型の表面抗原に結合するモノクローナル抗体を産生する方法であり、以下の工程：
（ａ）哺乳動物に異種である特定の細胞型の複数の生存可能で、かつインタクトな細胞を用いて、該哺乳動物を免疫する工程であり、ここで該細胞の表面は血清を含まず、そして該細胞が、アジュバントを用いないか、またはRibiアジュバントを用いて該哺乳動物に導入される工程；
（ｂ）免疫された該哺乳動物由来のリンパ球を不死化細胞株と融合せしめることにより、モノクローナル抗体を分泌するハイブリドーマを産生する工程；
（ｃ）前記モノクローナル抗体の分泌のために好ましい条件下で前記ハイブリドーマを培養する工程；および
（ｄ）工程（ａ）の生存可能で、かつインタクトな細胞上に存在する表面抗原に結合するモノクローナル抗体を分泌する当該ハイブリドーマを選択する工程、
を含んで成る方法。
【請求項１２】  前記選択が、イムノアッセイによって行なわれる、請求項11に記載のモノクローナル抗体を産生する方法。
【請求項１３】  前記イムノアッセイが、ELISAおよびイムノブロットからなる群より選択される、請求項12に記載のモノクローナル抗体を産生する方法。
【請求項１４】  前記選択が細胞選別プロセスによってもたらされる、請求項11に記載のモノクローナル抗体を産生する方法。
【請求項１５】  前記細胞選別プロセスが、FACSである、請求項14に記載のモノクローナル抗体を産生する方法。
【請求項１６】  前記モノクローナル抗体が、前記表面抗原の前記細胞外ドメインに結合する、請求項11に記載のモノクローナル抗体を産生する方法。
【請求項１７】  前記細胞が無血清培地中で培養される、請求項11に記載のモノクローナル抗体を産生する方法。
【請求項１８】  前記細胞が単層の形態で増殖される、請求項11に記載のモノクローナル抗体を産生する方法。
【請求項１９】  前記細胞が凝集体の形態で増殖される、請求項11に記載のモノクローナル抗体を産生する方法。
【請求項２０】  前記細胞が生物学的基材または非生物学的基材で増殖される、請求項11に記載のモノクローナル抗体を産生する方法。
【請求項２１】  前記生物学的基材が、コラーゲン、フィブロネクチン、ラミニンおよびポリリジンからなる群より選択される、請求項20に記載のモノクローナル抗体を産生する方法。
【請求項２２】  前記非生物学的基材が、ニトロセルロース、ナイロン、およびポリテトラフルオロエチレンメンブレンからなる群より選択される、請求項20に記載のモノクローナル抗体を産生する方法。
【請求項２３】  前記細胞が胚または成体起源の細胞である、請求項11に記載のモノクローナル抗体を産生する方法。
【請求項２４】  血清生体分子との実質的な免疫学的反応性を欠いたモノクローナル抗体の集団であって、組織選択的、または部分組織選択的、または細胞型特異的である抗原と反応性の抗体を少なくとも１つ含む、集団。
【請求項２５】  請求項11に記載の方法によって産生されるモノクローナル抗体の集団。
【請求項２６】  前記モノクローナル抗体が前記細胞表面抗原の細胞外ドメインに特異的に結合する、請求項25に記載のモノクローナル抗体の集団。
【請求項２７】  請求項11に記載の方法によって産生されるハイブリドーマの集団。
【請求項２８】  前記ハイブリドーマが前記細胞表面抗原の細胞外ドメインに特異的に結合するモノクローナル抗体を産生する、請求項27に記載のハイブリドーマの集団。
【請求項２９】  特定の細胞型に存在する細胞表面抗原の組み合わせを決定する方法であって、以下の工程：
（ａ）宿主哺乳動物に対して異種である特定の細胞型の複数の生存可能で、かつインタクトな細胞で当該哺乳動物を免疫する工程であって、ここで当該細胞の表面は血清を含まない、工程；
（ｂ）前記免疫された哺乳動物由来のリンパ球を不死化された細胞系と融合せしめることにより、モノクローナル抗体を分泌するハイブリドーマを産生する工程；
（ｃ）モノクローナル抗体の分泌のために好ましい条件下で前記ハイブリドーマを培養する工程；
（ｄ）工程（ａ）の生存可能で、かつインタクトな細胞に存在する該細胞表面抗原に結合するモノクローナル抗体を分泌するハイブリドーマを選択する工程；および
（ｅ）該モノクローナル抗体が結合する該抗原を同定する工程であって、それによって該特定の細胞型上に存在する細胞表面抗原の組み合わせを決定する工程、
を含んで成る方法。
【請求項３０】  工程（ｅ）の前記抗原を同定する工程が、特定の細胞型のcDNAを得る工程、存在する場合に対応する前記内在性抗原のレベルよりも少なくとも５倍高いレベルで第２の細胞型においてcDNAを発現する工程、および（ｄ）において同定された前記ハイブリドーマによって分泌される前記モノクローナル抗体に特異的に結合するための当該第２の細胞型の細胞をスクリーニングする工程を、さらに包含する、請求項29に記載の方法。
【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】
【請求項１】  標的位置にじかに隣接して試料核酸にハイブリダイズするプライマーを用意し、試料核酸及びプライマーをヌクレオチドの存在下でポリメラーゼ反応に供し、それによってヌクレオチドが標的位置の塩基に相補的である場合にのみ取り込まれるようにし、その取り込みを検出する、試料核酸配列中の標的位置の塩基を同定する方法であって、ポリメラーゼ反応工程に一本鎖核酸結合タンパク質が含有されることを特徴とする、方法。
【請求項２】  一本鎖核酸結合タンパク質が、Ｅ．ｃｏｌｉ一本鎖結合タンパク質（Ｅｃｏ  ＳＳＢ）、Ｔ４遺伝子３２タンパク質（Ｔ４  ｇｐ３２）、Ｔ７  ＳＳＢ、コリオファージＮ４  ＳＳＢ、Ｔ４遺伝子４４／６２タンパク質、アデノウイルスＤＮＡ結合タンパク質（ＡｄＤＢＰ又はＡｄＳＳＢ）及び仔牛胸腺巻戻しタンパク質（ＵＰ１）を含む群から選択される、請求項１記載の方法。
【請求項３】  一本鎖核酸結合タンパク質が、Ｅｃｏ  ＳＳＢである、請求項２記載の方法。
【請求項４】  試料核酸がＤＮＡである、請求項１〜３のいずれか１項記載の方法。
【請求項５】  一本鎖核酸結合タンパク質が、試料核酸に結合する、請求項１〜４のいずれか１項記載の方法。
【請求項６】  ヌクレオチドの取り込みが、無機ピロリン酸の放出をモニタリングすることによって検出される、請求項１〜５のいずれか１項記載の方法。
【請求項７】  無機ピロリン酸の放出が、ＡＴＰスルフリラーゼ及びルシフェラーゼを用いて検出される、請求項６記載の方法。
【請求項８】  アピラーゼが、ポリメラーゼ反応中に存在する、請求項１〜７のいずれか１項記載の方法。
【請求項９】  一本鎖核酸結合タンパク質が、試料核酸へのプライマーのハイブリダイゼーションの後に添加される、請求項１〜８のいずれか１項記載の方法。
【請求項１０】  核酸試料中の少なくとも２５塩基が同定される、請求項１〜９のいずれか１項記載の方法。
【請求項１１】  核酸シークエンシング・バイ・シンセシス法における一本鎖核酸結合タンパク質の用途。
【請求項１２】  核酸シークエンシング・バイ・シンセシス法において用いられた場合に、ヌクレオチド分解酵素の活性を強化する方法であって、一本鎖核酸結合タンパク質の使用を含む方法。
【請求項１３】  核酸シークエンシング・バイ・シンセシス法において検出酵素として用いられた場合に、ルシフェラーゼの活性を強化する方法であって、一本鎖核酸結合タンパク質の使用を含む方法。
【請求項１４】  核酸シークエンシング・バイ・シンセシス法の間、一定のシグナル強度を維持する方法であって、一本鎖核酸結合タンパク質の使用を含む方法。
【請求項１５】  シークエンシング・バイ・シンセシス法における使用のためのキットであって、取り込みのためのヌクレオチド、ポリメラーゼ、取り込みの検出のための手段及び一本鎖核酸結合タンパク質を含むキット。
【手続補正２】
【補正対象書類名】明細書
【補正対象項目名】００１０
【補正方法】変更
【補正の内容】
【００１０】
したがって、１つの側面において、本発明は、試料核酸配列中の標的位置の塩基を同定する方法であって、標的位置にじかに隣接して試料核酸にハイブリダイズするプライマーを用意し、試料核酸及びプライマーをヌクレオチドの存在下でポリメラーゼ反応に供し、それによってヌクレオチドが標的位置の塩基に相補的である場合にのみ取り込ませ、その取り込みを検出する方法であって、このポリメラーゼ反応工程中に一本鎖核酸結合タンパク質が含まれることを特徴とする方法を提供する。
【手続補正３】
【補正対象書類名】明細書
【補正対象項目名】００２８
【補正方法】変更
【補正の内容】
【００２８】
ＰＰｉの放出を検出するためのルシフェリン−ルシフェラーゼ反応は、当業界で周知である。特に、酵素ＡＴＰスルフリラーゼ及びルシフェラーゼに基づいてＰＰｉ放出を連続的にモニタリングする方法は、Ｎｙｒｅｎ及びＬｕｎｄｉｎ（Ａｎａｌ．  Ｂｉｏｃｈｅｍ．，  １５１，  ５０４−５０９，  １９８５）により開発されており、ＥＬＩＤＡ（Ｅｎｚｙｍａｔｉｃ  Ｌｕｍｉｎｏｍｅｔｒｉｃ  Ｉｎｏｒｇａｎｉｃ  Ｐｙｒｏｐｈｏｓｐｈａｔｅ  Ｄｅｔｅｃｔｉｏｎ  Ａｓｓａｙ；酵素的ルミノメトリック無機ピロリン酸検出アッセイ）と呼ばれる。ＰＰｉを検出するためのＥＬＩＤＡ法の使用は、本発明によれば、好ましい。しかし、この方法は、例えばより温度安定性の高いルシフェラーゼ（Ｋａｌｉｙａｍａ  ｅｔ  ａｌ．，  １９９４，  Ｂｉｏｓｃｉ．  Ｂｉｏｔｅｃｈ．  Ｂｉｏｃｈｅｍ．  ５８，  １１７０−１１７１）の使用により、改変してもよい。この方法は、以下の反応に基づいている：
ＡＴＰスルフリラーゼ
ＰＰｉ＋ＡＰＳ――――――――――――＞ＡＴＰ＋ＳＯ４２-
ルシフェラーゼ
ＡＴＰ＋ルシフェリン＋Ｏ２――――――――＞ＡＭＰ＋ＰＰｉ
＋オキシルシフェリン＋ＣＯ２＋ｈν
（ＡＰＳ＝アデノシン５’−ホスホスルフェート）
【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
高誘電率薄膜材料の物理特性を改善する方法であって、該方法が、
基材上に高誘電率薄膜材料を設け、
イオン注入により前記高誘電率薄膜材料をドーパントでドープする、ことを含む高誘電率薄膜材料の物理特性を改善する方法。
【請求項２】
前記高誘電率薄膜材料を、ＢＳＴ、ＳＢＴ、ＳｒＴｉＯ３およびＰＺＴからなる群より選択した、請求項１に記載の方法。
【請求項３】
前記ドーパントを、ニオブ、ランタン、アンチモンおよびタンタルからなる群より選択した、請求項１に記載の方法。
【請求項４】
前記高誘電率薄膜材料が式ＡＢＯ３で表されるペロブスカイトであり、式中ＡはＢａ、Ｂｉ、Ｓｒ、Ｐｂ、ＣａおよびＬａから選択された金属を表し、ＢはＴｉ、Ｚｒ、Ｔａ、Ｍｏ、ＷおよびＮｂから選択された金属を表す、請求項１に記載の方法。
【請求項５】
前記ドーピング工程が前記高誘電率薄膜材料のＡ部をＬａ３＋イオンでドープすることを含む、請求項４に記載の方法。
【請求項６】
前記ドーピング工程が前記高誘電率薄膜材料のＢ部をＮｂ５＋、Ｓｂ５＋およびＴａ５＋からなる群より選択されたドーパントでドープすることを含む、請求項４に記載の方法。
【請求項７】
高誘電率薄膜材料の酸素空孔を還元する方法であって、該方法が、
高誘電率薄膜材料を用意し、
イオン注入により前記高誘電率薄膜材料をドーパントでドープする、ことを含む高誘電率薄膜材料の酸素空孔を還元する方法。
【請求項８】
前記高誘電率薄膜材料を、ＢＳＴ、ＳＢＴ、ＳｒＴｉＯ３およびＰＺＴからなる群より選択した、請求項７に記載の方法。
【請求項９】
前記ドーパントを、ニオブ、ランタン、アンチモンおよびタンタルからなる群より選択した、請求項７に記載の方法。
【請求項１０】
前記高誘電率薄膜材料が式ＡＢＯ３で表されるペロブスカイトであり、式中ＡはＢａ、Ｂｉ、Ｓｒ、Ｐｂ、ＣａおよびＬａから選択された金属を表し、ＢはＴｉ、Ｚｒ、Ｔａ、Ｍｏ、ＷおよびＮｂから選択された金属を表す、請求項７に記載の方法。
【請求項１１】
前記ペロブスカイトがチタン酸バリウムストロンチウムであり、かつ前記ドーピング工程がＡ部をＬａ３＋イオンでドープすることを含む、請求項１０に記載の方法。
【請求項１２】
前記ペロブスカイトがチタン酸バリウムストロンチウムであり、かつ前記ドーピング工程がＢ部をＮｂ５＋、Ｓｂ５＋およびＴａ５＋からなる群より選択されたドーパントでドープすることを含む、請求項１０に記載の方法。
【請求項１３】
ＢＳＴ高誘電率薄膜材料の抵抗劣化を改善する方法であって、該方法が、
ＢＳＴ高誘電率薄膜材料を用意し、
イオン注入により前記ＢＳＴ高誘電率薄膜材料をドーパントでドープする、ことを含むＢＳＴ高誘電率薄膜材料の抵抗劣化を改善する方法。
【請求項１４】
前記ドーピング工程が前記ＢＳＴ高誘電率薄膜材料のＡ部をＬａ３＋イオンでドープすることを含む、請求項１３に記載の方法。
【請求項１５】
前記イオン注入工程の注入角を変化させて前記ＢＳＴ高誘電率フィルムを均等にドープすることをさらに含む、請求項１３に記載の方法。
【請求項１６】
抵抗劣化の改善されたＢＳＴ高誘電率薄膜材料であって、該材料が、
ＢＳＴ高誘電率薄膜材料を用意し、
イオン注入により前記ＢＳＴ高誘電率薄膜材料をドーパントでドープすることにより形成された、抵抗劣化の改善されたＢＳＴ高誘電率薄膜材料。
【請求項１７】
前記イオン注入工程の注入角を変化させることにより前記ＢＳＴ高誘電率フィルム材料を均等にドープする、請求項１６に記載のＢＳＴ高誘電率薄膜材料。
【請求項１８】
前記ＢＳＴ高誘電率薄膜材料がＤＲＡＭセルに含まれる、請求項１６に記載のＢＳＴ高誘電率薄膜材料。
【請求項１９】
前記ＢＳＴ高誘電率薄膜材料がキャパシタ内に形成された、請求項１６に記載のＢＳＴ高誘電率薄膜材料。
【請求項２０】
高静電容量薄膜集積回路キャパシタ装置の加工方法であって、該方法が、
基材を準備し、
該基材上に第１の電極を形成し、
該第１の電極を覆って高静電容量薄膜層を形成し、
イオン注入により、該高静電容量薄膜層にドーパントを注入し、
該ドープした高静電容量薄膜層上に第２の電極を形成して、該集積回路キャパシタを完成させる、
ことを含む、高静電容量薄膜集積回路キャパシタ装置の加工方法。
【請求項２１】
Ｂａ対Ｓｒの比が約７０：３０である、請求項２０に記載の方法。
【請求項２２】
前記高誘電率薄膜材料が式ＡＢＯ３で表されるペロブスカイトであり、式中ＡはＢａ、Ｂｉ、Ｓｒ、Ｐｂ、ＣａおよびＬａから選択された金属を表し、ＢはＴｉ、Ｚｒ、Ｔａ、Ｍｏ、ＷおよびＮｂから選択された金属を表す、請求項２０に記載の方法。
【請求項２３】
前記ドーピング工程が前記高誘電率薄膜材料のＢ部をＮｂ５＋、Ｓｂ５＋およびＴａ５＋からなる群より選択されたドーパントでドープすることを含む、請求項２２に記載の方法。
【請求項２４】
前記ペロブスカイトがチタン酸バリウムストロンチウムであり、かつ前記ドーピング工程がＡ部をＬａ３＋イオンでドープすることを含む、請求項２２に記載の方法。
【請求項２５】
前記ペロブスカイトがチタン酸バリウムストロンチウムであり、かつ前記ドーピング工程がＢ部をＮｂ５＋、Ｓｂ５＋およびＴａ５＋からなる群より選択されたドーパントでドープすることを含む、請求項２２に記載の方法。
【請求項２６】
ドープされたＢＳＴ層を含む集積回路の加工方法であって、該方法が、
基材を準備し、
該基材上に第１の電極を形成し、
該第１の電極を覆ってＢＳＴの薄膜層を形成し、
イオン注入により、該薄膜ＢＳＴ層にドーパントを注入し、
該ドープした薄膜ＢＳＴ層上に第２の電極を形成して、該集積回路キャパシタを完成させる、
ことを含む、ドープされたＢＳＴ層を含む集積回路の加工方法。
【請求項２７】
Ｂａ対Ｓｒの比が約７０：３０である、請求項２６に記載の方法。
【請求項２８】
集積回路キャパシタ装置であって、
基材を準備し、
該基材上に第１の電極を形成し、
該第１の電極を覆って高静電容量材料の薄膜誘電層を形成し、
イオン注入により、該薄膜層にドーパントを注入し、
該ドープした薄膜層上に第２の電極を形成して、該集積回路キャパシタを完成させる、
工程により形成された、集積回路キャパシタ装置。
【請求項２９】
Ｂａ対Ｓｒの比が約７０：３０である、請求項２８に記載の集積回路キャパシタ装置。
【請求項３０】
前記集積回路キャパシタがスタッドを覆って形成された、請求項２８に記載の集積回路キャパシタ装置。
【手続補正書】
【提出日】平成15年7月2日(2003.7.2)
【手続補正１】
【補正対象書類名】明細書
【補正対象項目名】特許請求の範囲
【補正方法】変更
【補正の内容】
【特許請求の範囲】
【請求項１】
炎症性または閉塞性気道疾患の処置における、同時の、連続のまたは別々の投与のための、(Ａ)フォルモテロールもしくは医薬的に許容されたその塩またはフォルモテロールの溶媒和物もしくは当該塩の溶媒和物および(Ｂ)モメタゾンフロエートを、別々にまたは同時に含む医薬組成物。
【請求項２】
有効量の(Ａ)および(Ｂ)の混合物を含み、所望により医薬的に許容される担体を伴う、医薬組成物である請求項１の医薬組成物。
【請求項３】
(Ａ)がフォルモテロールフマレート二水和物である、請求項１または２の医薬組成物。
【請求項４】
吸入可能型であり、そして
(ｉ)プロペラント中に溶液または分散物の(Ａ)および(Ｂ)の混合物を含むエアロゾルであるか、またはプロペラント中に溶液もしくは分散物の(Ａ)を含むエアロゾルとプロペラント中に溶液もしくは分散物の(Ｂ)を含むエアロゾルとの組合せ；または
(ii)水性、有機性または水性／有機性媒体中に(Ａ)および(Ｂ)の分散物、または当該媒体中の(Ａ)の分散物と当該媒体中の(Ｂ)の分散物との組合せを含む霧状化可能組成物；または
(iii)微粉砕した(Ａ)および／または(Ｂ)を含み、所望により微粉砕した形態中の医薬的に許容される担体を伴う、ドライパウダー
である、請求項１、２または３の医薬組成物。
【請求項５】
吸入可能型がエアロゾル(ｉ)であり、プロペラントが、(Ａ)および／または(Ｂ)を分散するハロゲン置換炭化水素である、請求項４の医薬組成物。
【請求項６】
吸入可能型がドライパウダー(iii)であり、担体が、存在し、かつサッカライドである、請求項４の医薬組成物。
【請求項７】
吸入可能型がエアロゾル(ｉ)であるかドライパウダー(iii)であり、(Ａ)および／または(Ｂ)が１０μｍまでの平均粒径を有する、請求項４の医薬組成物。
【請求項８】
(Ｂ)に対する(Ａ)の重量比が２：１から１：２０００である、請求項１〜７の何れかの医薬組成物。
【請求項９】
ドライパウダーがカプセル中にあり、当該カプセルが、フォルモテロールフマレート二水和物として(Ａ)を３から３６μｇ、(Ｂ)を２５μｇから８００μｇおよびカプセルあたりのドライパウダーの総重量を５ｍｇから５０ｍｇの間とする量の医薬的に許容される担体を含む、請求項２の医薬組成物。
【請求項１０】
フォルモテロールフマレート二水和物として３から３６重量部の(Ａ)、２５から８００重量部の(Ｂ)および２１６４から２４９７２重量部の医薬的に許容される担体を含むドライパウダーである、請求項２の医薬組成物。
【請求項１１】
請求項１または３に記載の(Ａ)および請求項１に記載の(Ｂ)を分離した単位用量型に含み、当該剤型が有効量の(Ａ)および(Ｂ)を投与するのに適しており、(Ａ)および(Ｂ)の投与のための１またはそれ以上の吸入装置と共に含む、医薬キット。
【手続補正２】
【補正対象書類名】明細書
【補正対象項目名】００２１
【補正方法】変更
【補正の内容】
【００２１】
モメタゾンフロエートに対するフォルモテロール、またはその塩もしくは溶媒和物の重量比は、通常、２：１から１：２０００、例えば、１：１から１：１０００、１：２から１：１００、または１：５から１：５０であり得る。より普通では、この割合は、１：１０から１：２５、例えば、１：１５から１：２５である。当該２つの薬物は、同じ割合で別々に投与し得る。最も近い整数としては、この割合の例には、１：１０、１：１１、１：１２、１：１３、１：１４、１：１５、１：１６、１：１７、１：１８、１：１９、１：２０、１：２１、１：２２、１：２３、１：２４および１：２５が含まれる。上記重量比は、特に(Ａ)がフォルモテロールフマレート二水和物である場合に適用される。そのため、フォルモテロールフマレート二水和物およびモメタゾンフロエートの分子量がそれぞれ８４０．９および５２１．４であるため、(Ｂ)に対する(Ａ)の相当するモル比は、通常、１．２４：１から１：３２２７、例えば、０．６２：１から１：１６１３、１：３．２から１：１６１、または１：８．１から１：８０．７；より普通には、１：１６．１から１：４０．３、例えば、１：２４．２から１：４０．３；モル比の特定の例は、１：１６．１、１：１７．８、１：１９．４、１：２１、１：２２．６、１：２４．２、１：２５．８、１：２７．４、１：２９、１：３０．７、１：３２．３、１：３３．９、１：３５．５、１：３７．１、１：３８．７および１：４０．３であり得る。